【手続補正書】
【提出日】平成18年6月14日(2006.6.14)
【手続補正１】
【補正対象書類名】明細書
【補正対象項目名】発明の名称
【補正方法】変更
【補正の内容】
【発明の名称】ファクシミリ装置、電子メールの送信方法および記憶媒体
【手続補正２】
【補正対象書類名】明細書
【補正対象項目名】特許請求の範囲
【補正方法】変更
【補正の内容】
【特許請求の範囲】
【請求項１】
インターネットに接続する機能を備えるファクシミリ装置であって、
外部装置からテキストデータを受け取って予め登録する登録制御手段と、
ファクシミリ送信を行う際には、画像データと前記登録制御手段により登録したテキストデータをファクシミリ送信するデータ制御手段とを備えたことを特徴とするファクシミリ装置。
【請求項２】
電子メールを受信する機能を備え、
前記登録制御手段は、前記外部装置から受け取った電子メールの種別を判断して、テキストデータの登録制御を行うことを特徴とする請求項１に記載のファクシミリ装置。
【請求項３】
インターネットを介してアクセスされることによってテキストデータの登録制御が行われるサイトを有し、
前記登録制御手段は、前記外部装置からの前記サイトへのアクセスに従ってテキストデータの登録制御を行うことを特徴とする請求項１に記載のファクシミリ装置。
【請求項４】
電子メールを送信する機能を備え、テキストデータと画像データを各パートに分けたメール形式により送信するファクシミリ装置であって、
画像データをファクシミリ送信として電子メールで送信する際に、外部装置からテキストデータを受け取って該電子メールに含ませるデータ制御手段を設けたことを特徴とするファクシミリ装置。
【請求項５】
前記データ制御手段は、テキストデータが準備されているサイトにインターネットを介してアクセスすることにより、電子メールに含ませるテキストデータを受け取ることを特徴とする請求項４に記載のファクシミリ装置。
【請求項６】
テキストデータと画像データを各パートに分けたメール形式により送信する電子メールの送信方法であって、
画像データをファクシミリ送信として電子メールで送信する際に、外部装置からテキストデータを受け取って該電子メールに含ませることを特徴とする電子メールの送信方法。
【請求項７】
コンピュータによって実行されるプログラムが記憶された記憶媒体であって、
前記プログラムは、テキストデータと画像データを各パートに分けたメール形式により送信する機能と、画像データをファクシミリ送信として電子メールで送信する際に、外部装置からテキストデータを受け取って該電子メールに含ませる機能とを含んでなることを特徴とする記憶媒体。
【手続補正３】
【補正対象書類名】明細書
【補正対象項目名】０００１
【補正方法】変更
【補正の内容】
【０００１】
【発明の属する技術分野】
本発明は、ファクシミリ装置、電子メールの送信方法および記憶媒体に関し、特に、テキストデータと共に画像データを送信することのできるものに関する。
【手続補正４】
【補正対象書類名】明細書
【補正対象項目名】０００７
【補正方法】変更
【補正の内容】
【０００７】
そこで、本発明は、画像データと共に送信するテキストデータを外部装置で準備することにより、テキストデータの作成や確認を容易にできるようにして、使い勝手のよいファクシミリ装置、電子メールの送信方法および記憶媒体を提供することを目的とする。
【手続補正５】
【補正対象書類名】明細書
【補正対象項目名】０００８
【補正方法】変更
【補正の内容】
【０００８】
【課題を解決するための手段】
上記課題を解決する本発明は、インターネットに接続する機能を備えるファクシミリ装置であって、外部装置からテキストデータを受け取って予め登録する登録制御手段と、ファクシミリ送信を行う際には、画像データと前記登録制御手段により登録したテキストデータをファクシミリ送信するデータ制御手段とを備えたことを特徴とするものである。
【手続補正６】
【補正対象書類名】明細書
【補正対象項目名】００１０
【補正方法】変更
【補正の内容】
【００１０】
上記課題を解決する本発明は、電子メールを受信する機能を備え、前記登録制御手段は、前記外部装置から受け取った電子メールの種別を判断して、テキストデータの登録制御を行うものである。
【手続補正７】
【補正対象書類名】明細書
【補正対象項目名】００１２
【補正方法】変更
【補正の内容】
【００１２】
上記課題を解決する本発明は、インターネットを介してアクセスされることによってテキストデータの登録制御が行われるサイトを有し、前記登録制御手段は、前記外部装置からの前記サイトへのアクセスに従ってテキストデータの登録制御を行うものである。
【手続補正８】
【補正対象書類名】明細書
【補正対象項目名】００１４
【補正方法】変更
【補正の内容】
【００１４】
上記課題を解決する本発明は、電子メールを送信する機能を備え、テキストデータと画像データを各パートに分けたメール形式により送信するファクシミリ装置であって、画像データをファクシミリ送信として電子メールで送信する際に、外部装置からテキストデータを受け取って該電子メールに含ませるデータ制御手段を設けたものである。
【手続補正９】
【補正対象書類名】明細書
【補正対象項目名】００１６
【補正方法】変更
【補正の内容】
【００１６】
上記課題を解決する本発明は、前記データ制御手段は、テキストデータが準備されているサイトにインターネットを介してアクセスすることにより、電子メールに含ませるテキストデータを受け取るものである。
【手続補正１０】
【補正対象書類名】明細書
【補正対象項目名】００１７
【補正方法】変更
【補正の内容】
【００１７】
この発明では、電子メールを送信するときにテキストデータが準備されているサイト（ＵＲＬ）にアクセスすることにより、テキストデータを受け取って電子メールに含ませて送信することができる。したがって、インターネット上のサイトにアクセスするだけで、テキストデータを取得して画像データと共に送信することができる。
また、本発明の電子メールの送信方法は、テキストデータと画像データを各パートに分けたメール形式により送信する送信方法であって、画像データをファクシミリ送信として電子メールで送信する際に、外部装置からテキストデータを受け取って該電子メールに含ませるものである。
また、本発明の記憶媒体は、コンピュータによって実行されるプログラムが記憶された記憶媒体であって、前記プログラムは、テキストデータと画像データを各パートに分けたメール形式により送信する機能と、画像データをファクシミリ送信として電子メールで送信する際に、外部装置からテキストデータを受け取って該電子メールに含ませる機能とを含んでなる。
【手続補正１１】
【補正対象書類名】明細書
【補正対象項目名】００１８
【補正方法】変更
【補正の内容】
【００１８】
【発明の実施の形態】
以下、本発明を図面に基づいて説明する。図１〜図５は本発明に係るファクシミリ装置の第１実施形態を示す図であり、ファクシミリ装置をインターネットファクシミリ装置に適用した例である。
【手続補正１２】
【補正対象書類名】明細書
【補正対象項目名】００３０
【補正方法】変更
【補正の内容】
【００３０】
次に、図６は本発明に係るファクシミリ装置の第２実施形態を示す図である。なお、本実施形態では、上述実施形態と略同様に構成されているので、同様な構成には同一の符号を付して、図１〜図４を流用し、特徴部分を説明する（以下で説明する第３実施形態においても同様）。
【手続補正１３】
【補正対象書類名】明細書
【補正対象項目名】００４０
【補正方法】変更
【補正の内容】
【００４０】
次に、図７および図８は本発明に係るファクシミリ装置の第３実施形態を示す図であり、本実施の形態は、電子メールの送信方法および記憶媒体の発明の実施形態を含んでいる。
【手続補正１４】
【補正対象書類名】明細書
【補正対象項目名】００４１
【補正方法】変更
【補正の内容】
【００４１】
図１において、インターネットファクシミリ装置１０は、装置本体として、記憶媒体としてのＲＯＭ１２やＲＡＭ１３上のプログラムに従って装置各部を統括制御することによりファクシミリ通信制御を実行すると共に本発明を実行するコンピュータとしてのＣＰＵ１１と、タイマ制御部１４、オペポートＩ／Ｆ部１５、ハードディスクＩ／Ｆ部１６、通信制御部１７、網制御部１８、符号化・復号化部１９、スキャナＩ／Ｆ部２０、プロッタＩ／Ｆ部２１、ＳＲＡＭ２２、キャラクタジェネレータ２３、および、ＬＡＮ通信制御部２４を備えて、公衆回線を介してファクシミリ通信する一般的なファクシミリ装置として機能するとともに、画像データとテキストデータとの各パートに分けるメール形式の電子メールをインターネットを介して送受するインターネットファクシミリ装置として機能するようになっている。
【手続補正１５】
【補正対象書類名】明細書
【補正対象項目名】００４７
【補正方法】変更
【補正の内容】
【００４７】
【発明の効果】
本発明によれば、パーソナルコンピュータなどの外部装置から送られてきたテキストデータを画像データと共に送信するテキストデータとして登録することができ、例えば、外部装置で作成する電子メールの種別を切り替えることにより、あるいは、外部装置からテキストデータの登録制御をするサイトにアクセスして入力操作することにより、テキストデータの登録や削除などを実行させることができるので、電子メールの送信機能やインターネットを利用するブラウザ機能（ＨＴＴＰ）を備えた一般的なパーソナルコンピュータなど使用して特定の電子メールを送信したり、インターネット上のサイトにアクセスするだけで、テキストデータの登録・削除を指示することができる。したがって、自機の入力手段を用いなくても、外部装置で準備した送付案内や使用ソフトウェアなどの案内のテキストデータを登録して電子メール内に組み込むことができる。この結果、テキストデータの作成や確認が容易な使い勝手のよいファクシミリ装置を提供することができる。
【手続補正１６】
【補正対象書類名】明細書
【補正対象項目名】００４８
【補正方法】変更
【補正の内容】
【００４８】
また、本発明によれば、電子メールを送信するときにパーソナルコンピュータなどの外部装置からテキストデータを転送してもらって画像データと共に送信することができ、例えば、電子メールを送信するときにテキストデータが準備されているサイト（ＵＲＬ）にアクセスすることにより、テキストデータを受け取って電子メールに含ませて送信することができるので、自機内の記憶媒体内にテキストデータを登録しておくことなく、インターネット上のサイトにアクセスするだけで、テキストデータを取得して画像データと共に送信することができる。したがって、自機内の記録媒体を浪費してテキストデータを予め登録しておくことなく、送付案内や使用ソフトウェアなどの案内のテキストデータを電子メール内に組み込んで送信することができる。この結果、テキストデータの作成や確認が容易な使い勝手のよいファクシミリ装置を提供することができる。
【手続補正１７】
【補正対象書類名】明細書
【補正対象項目名】図面の簡単な説明
【補正方法】変更
【補正の内容】
【図面の簡単な説明】
【図１】
本発明に係るファクシミリ装置の第１実施形態を示す図であり、その概略全体構成を示すブロック図である。
【図２】
その通信制御を説明するシーケンス図である。
【図３】
その通信制御を説明するシーケンス図である。
【図４】
その通信制御を説明するシーケンス図である。
【図５】
そのテキストデータの登録制御を説明するフローチャートである。
【図６】
そのテキストデータの登録制御を説明するフローチャートである。
【図７】
そのテキストデータの登録指示の一例を説明する表である。
【図８】
そのテキストデータの登録制御を説明するフローチャートである。
【符号の説明】
１０ インターネットファクシミリ装置
１１ ＣＰＵ
１２ ＲＯＭ
１３ ＲＡＭ
１４ タイマ制御部
１５ オペポートＩ／Ｆ部
１６ ハードディスクＩ／Ｆ部
１７ 通信制御部
１８ 網制御部
１９ 符号化・復号化部
２０ スキャナＩ／Ｆ部
２１ プロッタＩ／Ｆ部
２２ ＳＲＡＭ
２３ キャラクタジェネレータ
２４ ＬＡＮ通信制御部